(57)【特許請求の範囲】
【請求項１】
複数の走査線及びデータ線と、前記走査線及びデータ線の交差に対応して設けられた複数の画素を備えた表示パネルにおける前記画素の各々に対応した番地を有し、各番地にて画素の階調を規定する階調データを記憶する表示メモリに対して、前記表示パネルの垂直走査および水平走査に同期した順番で読出番地を指定し、
当該読出番地から階調データを順次読み出して、前記表示パネルの画素を当該階調データで規定された階調とする画像表示方法であって、
前記読出番地を指定するための読出走査期間にわたって、表示品位を低下させ得る特定書換が表示メモリにて発生したか否かを判別する第１ステップと、
前記第１ステップによって特定書換が発生したと判別されたとき、当該特定書換が発生した読出走査では、少なくとも当該特定書換が発生した番地からの階調データの読出をスキップさせるとともに、
スキップさせた番地に対応する画素を、当該読出走査よりも前に読み出された階調データによって規定される階調に保持する第２ステップと
を備え、
前記走査線の各々は前記表示パネルの水平走査期間を規定するクロック信号に基づいて選択され、
前記第２ステップにおいて階調データの読出をスキップしたときには、前記クロック信号の周波数を、階調データの読出をスキップしないときに比べて高くする
ことを特徴とする画像表示方法。
【請求項２】
前記第１ステップでは、
読出走査期間にて階調データの書換が発生したとき、
当該書換が発生した時点での読出番地にかかわらず、前記特定書換が発生したと判別する
ことを特徴とする請求項１に記載の画像表示方法。
【請求項３】
前記第１ステップでは、
読出走査期間にて階調データの書換が発生したとき、
当該書換の発生した番地のすべてが当該書換の発生した読出走査において読出番地としてすでに指定された領域に含まれるか否か、および、
当該書換の完了時における読出番地を予測して、当該書換の発生した番地のすべてが当該予測読出番地以降の領域に含まれるか否かを判別して、
双方の判別結果が否定的であるとき、前記特定書換が発生したと判別する
ことを特徴とする請求項１に記載の画像表示方法。
【請求項４】
前記第２ステップでは、
前記第１ステップによって前記特定書換が発生したと判別されたとき、当該判別時点での読出番地を含む行の次行以降の読出をスキップさせるとともに、
スキップさせた行番地に対応する画素行の以降に位置する画素を保持する
ことを特徴とする請求項１に記載の画像表示方法。
【請求項５】
表示パネルにおける画素の各々に対応した番地を有し、各番地にて画素の階調を規定する階調データを記憶する表示メモリに対して、前記表示パネルの垂直走査および水平走査に同期した順番で読出番地を指定し、
当該読出番地から階調データを順次読み出して、前記表示パネルの画素を当該階調データで規定された階調とする画像表示方法であって、
前記読出番地を指定するための読出走査期間にわたって、表示品位を低下させ得る特定書換が表示メモリにて発生したか否かを判別する第１ステップと、
前記第１ステップによって特定書換が発生したと判別されたとき、当該特定書換が発生した読出走査では、当該特定書換が発生した番地を含む行の次行以降の番地からの階調データの読出をスキップさせるとともに、
スキップさせた番地に対応する画素を、当該読出走査よりも前に読み出された階調データによって規定される階調に保持する第２ステップとを備え、
同一の画素についての書込極性を、当該書込極性を指示する極性指示フラグにしたがって１以上の垂直走査期間毎に反転させる場合に、前記第１ステップによって前記特定書換が発生したと判別されたとき、
前記第２ステップの後に、
前記特定書換が発生した読出走査の次の読出走査では、スキップさせた番地に対応する画素を、前記極性指示フラグにかかわらず、前記特定書換が発生した読出走査での極性とは反対極性にて書き込む第３ステップと、
前記第３ステップの書込が発生した読出走査の次の読出走査において、
スキップさせた番地に対応する画素に書き込んだ反対極性が、前記極性指示フラグによって指示される書込極性と同一であるとき、当該画素に対応する番地からの読出をスキップさせるとともに、
スキップさせた番地に対応する画素を、反対極性で書き込んだ階調に保持する第４ステップと
を備えることを特徴とする画像表示方法。
【請求項６】
複数の走査線及びデータ線と、前記走査線及びデータ線の交差に対応して設けられた複数の画素を備えた表示パネルにおける前記画素の各々に対応した番地を有し、各番地にて画素の階調を規定する階調データを記憶する表示メモリと、
前記表示メモリに対して、前記表示パネルの垂直走査および水平走査に同期した順番で読出番地を指定する指定手段と、
当該読出番地から階調データを順次読み出す読出手段とを備え、前記表示パネルの画素を当該階調データで規定された階調とする画像表示装置であって、
前記読出番地を指定するための読出走査期間にわたって、表示品位を低下させ得る特定書換が表示メモリにて発生したか否かを判別する判別手段と、
前記判別手段によって特定書換が発生したと判別されたとき、当該特定書換が発生した読出走査では、少なくとも当該特定書換が発生した番地からの階調データの読出をスキップさせるとともに、
スキップさせた番地に対応する画素を、当該読出走査よりも前に読み出された階調データによって規定される階調に保持する第１の保持手段と
を備え、
前記走査線の各々は前記表示パネルの水平走査期間を規定するクロック信号に基づいて選択され、
前記階調データの読出をスキップしたときには、前記クロック信号の周波数を、階調データの読出をスキップしないときに比べて高くする
ことを特徴とする画像表示装置。
【請求項７】
前記判別手段においては、
読出走査期間にて階調データの書換が発生したとき、
当該書換が発生した時点での読出番地にかかわらず、前記特定書換が発生したと判別する
ことを特徴とする請求項６に記載の画像表示装置。
【請求項８】
前記判別手段においては、
読出走査期間にて階調データの書換が発生したとき、
当該書換の発生した番地のすべてが当該書換の発生した読出走査において読出番地としてすでに指定された領域に含まれるか否か、および、
当該書換の完了時における読出番地を予測して、当該書換の発生した番地のすべてが当該予測読出番地以降の領域に含まれるか否かを判別して、
双方の判別結果が否定的であるとき、前記特定書換が発生したと判別する
ことを特徴とする請求項６に記載の画像表示装置。
【請求項９】
前記第１の保持手段においては、
前記判別手段によって前記特定書換が発生したと判別されたとき、当該判別時点での読出番地を含む行の次行以降の読出をスキップさせるとともに、
スキップさせた行番地に対応する画素行の以降に位置する画素を保持する
ことを特徴とする請求項６に記載の画像表示装置。
【請求項１０】
表示パネルにおける画素の各々に対応した番地を有し、各番地にて画素の階調を規定する階調データを記憶する表示メモリと、
前記表示メモリに対して、前記表示パネルの垂直走査および水平走査に同期した順番で読出番地を指定する指定手段と、
当該読出番地から階調データを順次読み出す読出手段とを備え、前記表示パネルの画素を当該階調データで規定された階調とする画像表示装置であって、
前記読出番地を指定するための読出走査期間にわたって、表示品位を低下させ得る特定書換が表示メモリにて発生したか否かを判別する判別手段と、
前記判別手段によって特定書換が発生したと判別されたとき、当該特定書換が発生した読出走査では、当該特定書換が発生した読出番地を含む行の次行以降の番地からの階調データの読出をスキップさせるとともに、
スキップさせた番地に対応する画素を、当該読出走査よりも前に読み出された階調データによって規定される階調に保持する第１の保持手段と
同一の画素についての書込極性を、当該書込極性を指示する極性指示フラグにしたがって１以上の垂直走査期間毎に反転させる場合に、前記判別手段によって前記特定書換が発生したと判別されたとき、
前記保持手段の処理が行われた後に、前記特定書換が発生した読出走査の次の読出走査において、スキップさせた番地に対応する画素を、前記極性指示フラグにかかわらず、前記特定書換が発生した読出走査での極性とは反対極性にて書き込む書込手段と、を備え、
前記書込手段による書込が発生した読出走査の次の読出走査において、
スキップさせた番地に対応する画素に書き込んだ反対極性が、前記極性指示フラグによって指示される書込極性と同一であるとき、当該画素に対応する番地からの読出をスキップさせるとともに、スキップさせた番地に対応する画素を、反対極性で書き込んだ階調に保持することを特徴とする画像表示装置。
【請求項１１】
請求項６乃至１０のいずれかに記載の画像表示装置を備えることを特徴とする電子機器。
【発明の詳細な説明】
【０００１】
【発明の属する技術分野】
本発明は、表示メモリからデータを読み出して画像を表示する際に、表示品位の低下を防止した画像表示方法、画像表示装置及び電子機器に関する。
【０００２】
【従来の技術】
有機ＥＬ（Electro Luminescent）装置や液晶装置など、ビットマップ型の表示パネルでは、表示メモリから垂直走査および水平走査に同期して順番に読出番地を指定して（読出走査して）、読み出した階調データにしたがって表示する方法が一般的である。ここで、表示メモリ（フレームメモリや、ビデオメモリなどと呼ばれることもある）の番地は、当該ディスプレイを構成する画素とを一対一に対応し、さらに、各番地には、対応する画素の階調（濃度、輝度）を規定する階調データが記憶される。このため、ＣＰＵ等の上位制御回路が表示メモリの記憶内容を逐次書き換えると、表示パネルにより表示される画像も適宜書き換えられることになる。
【０００３】
ここで、上位制御回路が読出走査の途中で表示メモリの記憶内容を書き換えてしまうと、当該書換の発生した１垂直走査期間（１フレーム）での表示は、当該書換前の記憶内容に基づく表示と、当該書換後の記憶内容に基づく表示とが混在して（断裂表示）、表示品位が著しく低下する可能性がある。
【０００４】
したがって、このような表示品位の低下を防止するため、上位制御回路は、例えば、読出走査の以外の期間に階調データの書換を指示するなど、読出走査に同期した手順を踏む必要がある。
【０００５】
【発明が解決しようとする課題】
しかしながら、このような手順を踏むと、上位制御回路の負荷が増大するので、当該上位制御回路によって実行される機能が低下する、といった問題があった。
【０００６】
なお、表示メモリを２画面分（２フレーム分）として、ある１フレームでは、一方の（１画面分の）表示メモリから読出走査するとともに、他方の表示メモリに対して書き込み、次の１フレームでは、他方の表示メモリから読出走査するとともに、一方の表示メモリに対して書き込む、という方法も提案されているが、この方法では、表示品位の低下が防止される反面、表示メモリの容量が２倍必要となるので、安易に採用することができない。
【０００７】
上記問題を解決すべく、本発明の目的は、上位制御回路による負荷を増加させないで、表示品位の低下を防止することが可能な画像表示方法、画像表示装置及び電子機器を提供することにある。
【０００８】
【課題を解決するための手段】
上記目的を達成するために、本発明は、複数の走査線及びデータ線と、前記走査線及びデータ線の交差に対応して設けられた複数の画素を備えた表示パネルにおける前記画素の各々に対応した番地を有し、各番地にて画素の階調を規定する階調データを記憶する表示メモリに対して、前記表示パネルの垂直走査および水平走査に同期した順番で読出番地を指定し、当該読出番地から階調データを順次読み出して、前記表示パネルの画素を当該階調データで規定された階調とする画像表示方法であって、前記読出番地を指定するための読出走査期間にわたって、表示品位を低下させ得る特定書換が表示メモリにて発生した否かを判別する第１ステップと、前記第１ステップによって特定書換が発生したと判別されたとき、当該特定書換が発生した読出走査では、少なくとも当該特定書換が発生した番地からの階調データの読出をスキップさせるとともに、スキップさせた番地に対応する画素を、当該読出走査よりも前に読み出された階調データによって規定される階調に保持する第２ステップとを備え、前記走査線の各々は前記表示パネルの水平走査期間を規定するクロック信号に基づいて選択され、前記第２ステップにおいて階調データの読出をスキップしたときには、前記クロック信号の周波数を、階調データの読出をスキップしないときに比べて高くすることを特徴とする。
【０００９】
本発明によれば、読出番地による走査とは無関係に、階調データを表示メモリに書き込むことができるので、当該書込を行う上位制御回路の負荷が軽減される上に、表示品位が低下する可能性のある特定書換が発生した番地からの読出がスキップされるとともに、当該番地に対応する画素は、前に読み出された階調データで規定される階調に保持されるので、断裂表示画面が防止される結果、表示品位も低下しない。
【００１０】
また、本発明に係る画像表示方法は、上記の画像表示方法において、前記第１ステップでは、読出走査期間にて階調データの書換が発生したとき、当該書換が発生した時点での読出番地にかかわらず、前記特定書換が発生したと判別することを特徴とする。
【００１１】
また、本発明に係る画像表示方法は、上記の画像表示方法において、前記第１ステップでは、読出走査期間にて階調データの書換が発生したとき、当該書換の発生した番地のすべてが当該書換の発生した読出走査において読出番地としてすでに指定された領域に含まれるか否か、および、当該書換の完了時における読出番地を予測して、当該書換の発生した番地のすべてが当該予測読出番地以降の領域に含まれるか否かを判別して、双方の判別結果が否定的であるとき、前記特定書換が発生したと判別することを特徴とする。
【００１２】
また、本発明に係る画像表示方法は、上記の画像表示方法において、前記第２ステップでは、前記第１ステップによって前記特定書換が発生したと判別されたとき、当該判別時点での読出番地を含む行の次行以降の読出をスキップさせるとともに、スキップさせた行番地に対応する画素行の以降に位置する画素を保持することを特徴とする。
【００１３】
また、本発明に係る画像表示方法は、上記の画像表示方法において、同一の画素についての書込極性を、当該書込極性を指示する極性指示フラグにしたがって１以上の垂直走査期間毎に反転させる場合に、前記第１ステップによって前記特定書換が発生したと判別されたとき、前記第２ステップの後に、前記特定書換が発生した読出走査の次の読出走査では、スキップさせた番地に対応する画素を、前記極性指示フラグにかかわらず、前記特定書換が発生した読出走査での極性とは反対極性にて書き込む第３ステップと、前記第３ステップの書込が発生した読出走査の次の読出走査において、スキップさせた番地に対応する画素に書き込んだ反対極性が、前記書込指示によって指示される書込極性と同一であるとき、当該画素に対応する番地からの読出をスキップさせるとともに、スキップさせた番地に対応する画素を、反対極性で書き込んだ階調に保持する第４ステップと
を備えることを特徴とする。
【００１４】
さらに、本発明は、表示パネルにおける画素の各々に対応した番地を有し、各番地にて画素の階調を規定する階調データを記憶する表示メモリと、前記表示メモリに対して、前記表示パネルの垂直走査および水平走査に同期した順番で読出番地を指定する指定手段と、当該読出番地から階調データを順次読み出す読出手段とを備え、前記表示パネルの画素を当該階調データで規定された階調とする画像表示装置であって、前記読出番地を指定するための読出走査期間にわたって、表示品位を低下させ得る特定書換が表示メモリにて発生した否かを判別する判別手段と、前記判別手段によって特定書換が発生したと判別されたとき、当該特定書換が発生した読出走査では、少なくとも当該特定書換が発生した番地からの階調データの読出をスキップさせるとともに、スキップさせた番地に対応する画素を、当該読出走査よりも前に読み出された階調データによって規定される階調に保持する第１の保持手段とを備え、前記第２ステップにおいて階調データの読出をスキップしたときには、前記表示パネルの水平走査期間を規定するクロック信号の周波数を、階調データの読出をスキップしないときに比べて高くすることを特徴とする。
【００１５】
また、本発明に係る画像表示装置は、上記の画像表示装置において、前記判別手段においては、読出走査期間にて階調データの書換が発生したとき、当該書換が発生した時点での読出番地にかかわらず、前記特定書換が発生したと判別する
ことを特徴とする。
【００１６】
また、本発明に係る画像表示装置は、上記の画像表示装置において、前記判別手段においては、読出走査期間にて階調データの書換が発生したとき、当該書換の発生した番地のすべてが当該書換の発生した読出走査において読出番地としてすでに指定された領域に含まれるか否か、および、当該書換の完了時における読出番地を予測して、当該書換の発生した番地のすべてが当該予測読出番地以降の領域に含まれるか否かを判別して、双方の判別結果が否定的であるとき、前記特定書換が発生したと判別することを特徴とする。
【００１７】
また、本発明に係る画像表示装置は、上記の画像表示装置において、前記第１の保持手段においては、前記判別手段によって前記特定書換が発生したと判別されたとき、当該判別時点での読出番地を含む行の次行以降の読出をスキップさせるとともに、スキップさせた行番地に対応する画素行の以降に位置する画素を保持することを特徴とする。
【００１８】
また、本発明に係る画像表示装置は、上記の画像表示装置において、同一の画素についての書込極性を、当該書込極性を指示する極性指示フラグにしたがって１以上の垂直走査期間毎に反転させる場合に、前記判別手段によって前記特定書換が発生したと判別されたとき、前記保持手段の処理が行われた後に、前記特定書換が発生した読出走査の次の読出走査において、スキップさせた番地に対応する画素を、前記極性指示フラグにかかわらず、前記特定書換が発生した読出走査での極性とは反対極性にて書き込む書込手段と、前記書込手段による書込が発生した読出走査の次の読出走査において、スキップさせた番地に対応する画素に書き込んだ反対極性が、前記書込指示によって指示される書込極性と同一であるとき、当該画素に対応する番地からの読出をスキップさせるとともに、スキップさせた番地に対応する画素を、反対極性で書き込んだ階調に保持する第２の保持手段とを備えることを特徴とする。
【００１９】
さらに、本発明に係る電子機器は、本発明に記載の画像表示装置を備えることを特徴とする。
【００２０】
【発明の実施の形態】
以下、本発明の実施の形態について図面を参照して説明する。
【００２１】
＜第１実施形態＞
図１は、本発明の第１実施形態に係る画像表示方法を適用した表示装置の全体構成を示すブロック図である。
【００２２】
この図に示されるように、表示装置１００は、上位制御回路１１０と、表示メモリ１２０と、ディスプレイコントローラ１３０と、表示パネル１４０と、Ｙドライバ１５０と、Ｘドライバ１６０とを含む。
【００２３】
これらのうち、上位制御回路１１０は、図示を省略した操作スイッチなどの指示にしたがった各種機能を実行する制御主体であり、特に本実施形態では、表示すべき内容に応じてデータＷＤを生成するとともに、当該データＷＤを生成した旨や、当該データＷＤの書込番地に関する情報などを含む命令ＷＣＭを発行する。
【００２４】
表示メモリ１２０は、画面表示するための専用メモリであり、その記憶番地は、表示パネル１４０の画素と一対一に対応して、各番地では、対応する画素の階調を規定する階調データが記憶される。なお、表示メモリ１２０の記憶容量は表示パネル１４０の表示容量より大きくとも良く、この場合には表示メモリ１２０の記憶領域の一部と表示パネル１４０の画素と一対一に対応させる。
【００２５】
ディスプレイコントローラ１３０は、階調データを読み出すための読出番地Ｒａｄを垂直走査および水平走査にしたがった順番にて歩進するとともに、当該歩進と同期して各種クロック信号等を生成するが、上位制御回路１１０から命令ＷＣＭを受信すると、後述するように、読出番地Ｒａｄの歩進を停止するとともに、この歩進停止にあわせて各種クロック信号の生成タイミングを変更する。さらに、ディスプレイコントローラ１３０は、受信した命令ＷＣＭを解釈し、データＷＤの書込番地Ｗａｄを生成する。
【００２６】
なお、ディスプレイコントローラ１３０によって生成されるクロック信号等は、本実施形態では、スタートパルスＤＹ、クロック信号ＹＣＫ、スタートパルスＤＸ、クロック信号ＸｓＣＫおよびラッチパルスＬＰである。
【００２７】
表示パネル１４０は、互いに交差するように設けられたｍ本の走査線１４１０とｎ本のデータ線１４２０との各交差部分に、画素１４００を有する有機ＥＬ装置である。Ｙドライバ１５０は、走査信号Ｙ１、Ｙ２、Ｙ３、…、Ｙｍを順番に、１行目からｍ行目までの走査線１４１０の各々にそれぞれ供給する。Ｘドライバ１６０は、表示メモリ１２０から読み出された階調データＲＤにしたがってデータ信号Ｘ１、Ｘ２、Ｘ３、…、Ｘｎを生成し、１列目からｎ列目までのデータ線１４２０の各々に一斉に供給する。
【００２８】
＜画素の構成＞
次に、上述した画素１４００の詳細について説明する。図２は、互いに隣接するｉ行目および（ｉ＋１）行目の走査線１４１０と、互いに隣接するｊ列目および（ｊ＋１）行目のデータ線１４２０との交差部分に対応して設けられた計４画素の構成を示す回路図である。ここで、ｉは、走査線１４１０を一般的に説明するために用いる記号であって、１≦ｉ≦ｍを満たす整数である。同様に、ｊは、データ線１４２０を一般的に説明するために用いる記号であって、１≦ｊ≦ｎを満たす整数である。
【００２９】
図２に示されるように、各画素１４００は、薄膜トランジスタ（Thin Film Transistor、以下「ＴＦＴ」と省略する）１４３２、１４３４とＥＬ素子１４５０とをそれぞれ有する。
【００３０】
便宜上、ｉ行目の走査線１４１０とｊ列目のデータ線１４２０との交差対応してｉ行ｊ列に位置する画素１４００に着目すると、当該画素１４００のＴＦＴ１４３２は、ｊ列目のデータ線１４２０とＴＦＴ１４３４のゲートｇとの間に介挿されている。ＴＦＴ１４３２のゲートは、ｉ行目の走査線１４１０に接続されているので、当該ＴＦＴ１４３２は、走査信号ＹｉがＨレベルになるとオンするスイッチとして機能する。
【００３１】
また、ＴＦＴ１４３４のゲートｇ（ＴＦＴ１４３２のドレイン）には、容量１４４０が寄生している。なお、本実施形態では、容量１４４０として、ＴＦＴ１４３４の寄生容量を用いているが、ＴＦＴ１４３４のゲートｇと一定電位の給電線（例えば接地線）との間にコンデンサを設けて、該コンデンサを容量１４４０として用いても良い。
【００３２】
ＥＬ素子１４５０は、電源電圧Ｖｄｄの給電線とＴＦＴ１４３４のドレインとの間にて順方向に介挿されている。詳細には、ＥＬ素子１４５０の陽極は電源電圧Ｖｄｄの給電線に接続される一方、ＥＬ素子１４５０の陰極はＴＦＴ１４３４のドレインに接続されている。また、ＴＦＴ１４３４のソースは、基準電圧Ｇｎｄに接地されている。ＥＬ素子１４５０は、共通電極たる陽極と画素電極たる陰極との間に発光（ＥＬ）層を挟持して、電流に応じた輝度で発光するが、詳細については本件と直接関係しないので、その説明を省略する。また、ＥＬ素子１４５０は、発光ダイオードと置換可能である。
【００３３】
この画素１４００では、走査信号ＹｉがＨレベルになったとき、ＴＦＴ１４３２がオンするので、ＴＦＴ１４３４のゲートｇは、ｊ列目のデータ線１４２０に印加されたデータ信号Ｘｊの電圧になるとともに、当該電圧に応じた電荷が容量１４４０に蓄積される。したがって、走査信号ＹｉがＨレベルになったとき、ＥＬ素子１４５０には、データ信号Ｘｊの電圧に応じた電流がＴＦＴ１４３４によって流れることになる。
【００３４】
一方、走査信号ＹｉがＬレベルになると、ＴＦＴ１４３２はオフするが、ＴＦＴ１４３４のゲートｇは、容量１４４０によって、ＴＦＴ１４３２がオフする直前のデータ信号Ｘｊの電圧に保持されている。このため、走査信号ＹｉがＨレベルからＨレベルに遷移しても、ＥＬ素子１４５０には、保持されたデータ信号Ｘｊの電圧に応じた電流がＴＦＴ１４３４により流れ続けることになる。
【００３５】
＜Ｙドライバ＞
次に、上述したＹドライバ１５０の詳細について説明する。図３は、Ｙドライバ１５０の構成を示すブロック図である。
【００３６】
この図に示されるように、Ｙドライバ１５０は、一種のシフトレジスタであり、走査線１４１０の各行にそれぞれ対応した転送回路（ＴＵ）１５１５を備える。
【００３７】
このＹドライバ１５０には、ディスプレイコントローラ１３０によって生成されたクロック信号ＹＣＫおよびスタートパルスＤＹがそれぞれ供給されている。
【００３８】
このうち、前者のクロック信号ＹＣＫは、通常では、１水平走査期間（１Ｈ）の逆数で示される周波数を有するが、後述するスキップ処理が実行されると、通常よりも十分に高い周波数となり（例えば１０００倍）、かつ、高周波数の状態が少なくともｍ周期以上にわたって継続する。後者のスタートパルスＤＹは、１フレーム（１Ｆ）の開始を規定する。
【００３９】
ｉ行目の転送回路１５１５は、入力信号を、クロック信号ＹＣＫの立ち上がり直前のレベルにラッチして、当該ラッチした信号を、ｉ行目の走査線１４１０に走査信号Ｙｉとして供給するとともに、次段たる（ｉ＋１）行目の転送回路１５１５への入力信号として供給する。ただし、１行目の転送回路１５１５の入力信号はスタートパルスＤＹである。
【００４０】
このような構成において、クロック信号ＹＣＫが通常であれば、図４（ａ）に示されるように、１フレーム（１Ｆ）の最初に供給される信号ＤＹは、クロック信号ＹＣＫの立ち上がり毎に順次シフトされるとともに、当該シフトされた信号が、それぞれ１、２、３、４、…、ｍ行目の走査線１４１０の各々に、それぞれ走査信号Ｙ１、Ｙ２、Ｙ３、Ｙ４、…、Ｙｍとして出力される。
【００４１】
このため、走査信号Ｙ１、Ｙ２、Ｙ３、Ｙ４、…、Ｙｍは、信号ＤＹがＨレベルになって初めてクロック信号ＹＣＫが立ち上がったタイミングから、順番に１水平走査期間（１Ｈ）だけＨレベルになる。
【００４２】
一方、クロック信号ＹＣＫが高周波数状態になると、例えば、走査信号Ｙ３がＨレベルからＬレベルに遷移するタイミングにて高周波数状態になると、図４（ｂ）に示されるように、走査信号Ｙ１、Ｙ２、Ｙ３は、当該タイミングから、順番に１水平走査期間（１Ｈ）だけＨレベルになるが、Ｙ４、Ｙ５、…、Ｙｍは、一瞬だけＨレベルになるに過ぎない。
【００４３】
上述したように、走査信号ＹｉがＨレベルになると、ｉ行目の画素１４００における容量１４４０の各々は、データ信号Ｘ１、Ｘ２、Ｘ３、…、Ｘｎの電圧に応じてそれぞれ充放電されるが、当該Ｈレベルとなる期間が極端に短いと、蓄積された電荷の量はほとんど変化しない。このため、クロック信号ＹＣＫの高周波数状態によって、走査信号Ｙｉが一瞬だけＨレベルになっても、容量１４４０の各々に蓄積された電荷の量にほとんど変化はなく、したがって、対応するＥＬ素子１４５０の輝度も維持されることになる。
【００４４】
＜Ｘドライバ＞
次に、上述したＸドライバ１６０の詳細について説明する。図５は、Ｘドライバ１６０の構成を示すブロック図である。
【００４５】
この図に示されるように、Ｘドライバ１６０は、データ線１４２０の各列にそれぞれ対応して、転送回路（ＴＵ）１６１５と、レジスタ（Ｒｅｇ）１６２０と、ラッチ回路（Ｌ）１６３０と、Ｄ／Ａ変換器１６４０とを有する。
【００４６】
このＸドライバ１６０には、ディスプレイコントローラ１３０によって生成されたクロック信号ＸｓＣＫ、スタートパルスＤＸ、ラッチパルスＬＰと、表示メモリ１２０から読み出された階調データＲＤとがそれぞれ供給されている。
【００４７】
このうち、クロック信号ＸｓＣＫは、転送回路１６１５に対して入力信号を転送させるための信号であり、読出番地Ｒａｄの歩進間隔と同一周期である。スタートパルスＤＸは、１行分の階調データＲＤの読出開始タイミングにおいて出力される。ラッチパルスＬＰは、１行分のうち、最終ｎ列の階調データが読み出された直後のタイミングにて出力され、１水平走査期間の開始を規定する。
【００４８】
ｊ列目の転送回路１６１５は、入力信号を、クロック信号ＸｓＣＫの立ち上がり直前のレベルにラッチして、当該ラッチした信号を、サンプリング制御信号Ｘｓｊとして出力するとともに、次段たる（ｊ＋１）列目の転送回路１６１５への入力信号として供給する。ただし、１列目の転送回路１６１５の入力信号は、スタートパルスＤＸである。
【００４９】
続いて、ｊ列目のレジスタ（Ｒｅｇ）１６２０は、データバスを介して供給される階調データＲＤを、ｊ列目の転送回路１６１５から出力されるサンプリング制御信号Ｘｓｊの立ち上がりにてサンプリングして、保持する。
【００５０】
さらに、ｊ列目のラッチ回路（Ｌ）１６３０は、同じくｊ列目のレジスタ１６２０によって保持された階調データＲＤを、ラッチパルスＬＰの立ち上がりによってラッチして出力する。
【００５１】
そして、ｊ列目のＤ／Ａ変換器１６４０は、同じくｊ列目のラッチ回路１６３０によってラッチされた階調データＲＤをアナログ電圧に変換し、当該アナログ電圧をｊ列目のデータ線１４２０に対しデータ信号Ｘｊとして出力する。
【００５２】
図６は、Ｘドライバ１６０の動作を説明するためのタイミングチャートである。この図に示されるように、ラッチパルスＬＰが出力されて走査信号ＹｉがＨレベルに遷移するタイミングに先んじて、スタートパルスＤＸがＨレベルに立ち上がると、ｉ行目であって１、２、３、…、ｎ列目の画素に対応した階調データＲＤが表示メモリ１２０から順番に読み出されて供給される。
【００５３】
このうち、ｉ行１列の画素に対応する階調データＲＤが供給されるタイミングにおいて、サンプリング制御信号Ｘｓ１がＨレベルに立ち上がると、当該階調データが、１列目のレジスタ１６２０（図６において「１：Ｒｅｇ」と表記）によってサンプリングされる。
【００５４】
次に、ｉ行２列の画素に対応する階調データＲＤが供給されるタイミングにおいて、サンプリング制御信号Ｘｓ２がＨレベルに立ち上がると、当該階調データが、２列目のレジスタ１６２０（図６において「２：Ｒｅｇ」と表記）によってサンプリングされる。以下同様にして、３、４、…、ｎ列目の画素に対応する階調データＲＤの各々が、それぞれ３、４、…、ｎ列目のレジスタ１６２０によってサンプリングされる。
【００５５】
続いて、ラッチパルスＬＰが出力されると、それぞれ各列のレジスタ１６２０によってサンプリングされた階調データＲＤが、それぞれの列に対応するラッチ回路１６３０において一斉にラッチされる。
【００５６】
そして、１、２、３、…、ｎ列においてラッチされた階調データＲＤは、それぞれ１、２、３、…、ｎ列のＤ／Ａ変換器１６４０によって変換され、データ信号Ｘ１、Ｘ２、Ｘ３、…、Ｘｎとして一斉に出力されることになる。
【００５７】
なお、１行分のデータ信号の一斉出力に合わせて、すなわち、ラッチパルスＬＰの出力に同期して、走査信号ＹｉがＬレベルになって、ｉ行目の走査線１４１０が選択されることになる。
【００５８】
またここでは、ｉ行目に位置する画素に対応したデータ信号の出力動作について説明したが、実際には、このような出力動作は、それぞれ１行目、２行目、３行目、…、ｍ行目の走査線１４１０の各々に対応して順番に実行されることになる。
【００５９】
＜ディスプレイコントローラ＞
次に、ディスプレイコントローラ１３０によって実行される処理内容の詳細について説明する。図７は、ディスプレイコントローラ１３０におけるメインルーチンの処理内容を示すフローチャートである。
【００６０】
この図に示されるように、電源投入やリセットなどの直後において、ディスプレイコントローラ１３０は、フレーム処理を実行する（ステップＳ１０）。
【００６１】
次に、フレーム処理の後、ディスプレイコントローラ１３０は、当該フレーム処理を開始してから１垂直走査期間（１フレーム）に相当する期間が経過したか否かを判別する（ステップＳ１２）。
【００６２】
ディスプレイコントローラ１３０は、該判別結果が否定的であるとき、処理手順をステップＳ１２に戻して待機する一方、肯定的であるとき、再びフレーム処理を実行する。すなわち、ステップＳ１０におけるフレーム処理は、１フレームおきに実行される。
【００６３】
フレーム処理の詳細について説明する。このフレーム処理とは、表示メモリ１２０からの読出処理であり、上位制御回路１１０から命令ＷＣＭを受信したときの書込処理については除かれる。
【００６４】
なお、書込処理については、上位制御回路１１０から命令ＷＣＭを受信したとき、読出走査とは無関係に、データＷＤが、ディスプレイコントローラ１３０によって、当該命令ＷＣＭに含まれる書込番地にて表示メモリ１２０に書き込まれる。このため、上位制御回路１１０は、ディスプレイコントローラ１３０による読出番地の指定（読出走査）を考慮せずに、データＷＤを転送したり、命令ＷＣＭを発行したりすることができるので、その分、負荷が低減される。ただし、本実施形態では、２フレーム連続して、データの書換がないものとする。
【００６５】
図８は、フレーム処理の詳細を示すフローチャートである。
【００６６】
まず、ディスプレイコントローラ１３０は、変数ｐに「１」をセットする（ステップＳ１０２）。ここで、変数ｐは、読出走査の対象とする画素行を示すために、「１」から走査線１４１０の本数である「ｍ」までの整数のいずれかがセットされる。ステップＳ１０２において変数ｐに「１」がセットされると、最初に読出走査の対象となる画素行は１行目となる。
【００６７】
次に、ディスプレイコントローラ１３０は、変数ｐで特定された画素行についての読出走査を実行する（ステップＳ１１０）。詳細には、ディスプレイコントローラ１３０は、ｐ行目であって、１列目からｎ列目までに位置する画素の階調データが記憶された番地を順番に指定するように、読出番地Ｒａｄをクロック信号ＸｓＣＫに同期して歩進する（ステップＳ１１０）。この歩進によって、ｐ行１列からｐ行ｎ列までの画素１行分の階調データＲＤが順番に表示メモリ１２０から読み出されて、Ｘドライバ１６０に供給されることになる。
【００６８】
続いて、ディスプレイコントローラ１３０は、ステップＳ１１０における読出走査において特定書換が発生したか否かを判別する（ステップＳ１１４）。
【００６９】
ここで、特定書換とは、断裂表示によって表示品位が低下する可能性のある書換をいい、特に本実施形態において特定書換とは、単に表示メモリ１２０の階調データの書換を意味する。階調データの書換は、上位制御回路１１０から命令ＷＣＭを受信すると、必ず発生するから、本実施形態において特定書換の発生は、命令ＷＣＭの受信と同義である。
【００７０】
このような特定書換が発生（命令ＷＣＭを受信）していないとき、ディスプレイコントローラ１３０は、現時点における変数ｐが走査線１４１０の本数ｍに等しいか否かを、すなわち、読出走査の対象が最終ｍ行であったか否かを判別する（ステップＳ１１６）。
【００７１】
この判別結果が否定的であるとき、ディスプレイコントローラ１３０は、読出走査の対象を次の画素行とすべく、変数ｐを「１」だけインクリメントして（ステップＳ１１８）、処理手順を再びステップＳ１１０に戻す。これにより、再度実行されるステップＳ１１０では、次行についての読出走査が実行される。
【００７２】
このように、ステップＳ１１０の読出走査は、ステップＳ１１４の判別結果が否定的である限り、変数ｐが「１」から「ｍ」まで、すなわち、１行目からｍ行目までの各行毎に対応して繰り返して実行される。
【００７３】
したがって、ステップＳ１１６の判別結果が肯定的であるとき、今回のフレームでは、最終ｍ行目までの読出走査が完了したことを意味するので、ディスプレイコントローラ１３０は、当該フレーム処理を終了させて、次回のフレーム処理開始まで待機する（ステップＳ１２）。
【００７４】
一方、ステップＳ１１４において特定書換が発生したと判別すると、ディスプレイコントローラ１３０は、ｐ行目の走査線１４１０に供給される走査信号ＹｐがＨレベルからＬレベルに遷移するタイミング以降、クロック信号ＹＣＫを一時的に高周波数化させる（ステップＳ１２２）。この後、ディスプレイコントローラ１３０は、今回のフレーム処理を終了させて、次の１フレームまで待機する。
【００７５】
すなわち、ｐ行目の読出走査の間に、特定書換が発生すると、（ｐ＋１）行目の読出走査を実行することなく、今回のフレーム処理が終了するので、（ｐ＋１）行目から最終ｍ行目までの画素に対応する階調データは、表示メモリ１２０から読み出されない。
【００７６】
さらに、（ｐ＋１）行目から最終ｍ行目までの走査線１４１０に供給される走査信号は一瞬しかＨレベルにならないので、（ｐ＋１）行目から最終ｍ行目までの各ＥＬ素子１４５０の輝度は、それぞれ直前フレームから維持されたままとなる。したがって、最初の１行目から最終のｍ行目までの画素１４００による表示内容は、表示メモリ１２０の書換が１行目からｍ行目までの読出走査期間に発生しても変化しない。
【００７７】
＜比較例との対比＞
ここで、本実施形態に対する比較例について説明する。図９（ａ）は、比較例において、表示メモリ１２０から階調データが行毎にどのように読み出されるかを、各フレームにわけて示す図表であり、図１０（ａ）は、図９（ａ）に示されるように階調データが読み出されたときに、表示パネル１４０の表示内容をフレーム毎に簡易的に示す図である。なお、図９（ａ）では、説明を簡略化するため、表示パネル１４０の表示行数を１８行としている。また、図９等において、アルファベットは表示すべきパターンを示す。
【００７８】
比較例の上位制御回路は、表示メモリからの読出走査とは無関係に（非同期に）、表示メモリに対する書込を指示するので、読出走査の間に表示メモリの内容が書き換えられる事態が起こり得る。
【００７９】
例えば、図９（ａ）において、フレーム１、２では、パターンＡに係る階調データが表示メモリから読み出されているが、フレーム３では、８行目の階調データが読出走査されている間に、表示メモリ１２０がパターンＢに係る階調データに書き換えられている。
【００８０】
このため、図１０（ａ）に示されるように、フレーム１、２では（厳密に言えば、読出走査が完了し、さらに、表示パネル１４０において全走査線１４１０が選択された後）、表示パネル１４０は、全行にわたってパターンＡ（図では、左斜めの黒色平行四辺形）を正しく表示するが、フレーム３では、１行目から８行目までがパターンＡとなり、９行目以降では、パターンＢ（図では、右斜めの黒色平行四辺形）となり、画面の上半分と下半分とで食い違う表示（断裂表示）となるので、表示品位が著しく低下する。
【００８１】
なお、フレーム３、４では、図９（ａ）に示されるように読出走査期間に表示メモリ１２０が書き換えられないので、表示パネル１４０では、図１０（ａ）に示されるように全行にわたってパターンＢが正しく表示される。
【００８２】
また、図１０（ａ）では、フレーム６以降における表示パネル１４０の表示内容については省略しているが、図９（ａ）に示されるように、読出走査期間の途中における書換は、フレーム７において１０行目の階調データが読出走査されている間と、フレーム１０において７行目の階調データが読出走査されている間とでも発生している。したがって、フレーム７、１０においても断裂表示が発生する。
【００８３】
これに対して本実施形態では、フレーム３にて８行目の階調データが読出走査されている期間に階調データが書き換えられると、図９（ｂ）において「←」に示されるように、９行目以降の階調データの読出走査がスキップされる。
【００８４】
この動作を図８におけるフレーム処理と関連で説明すると、フレーム３に対応したフレーム処理では、変数ｐに「１」から「８」までの値がセットされる毎に、ステップＳ１１０の読出走査が実行されるが、変数ｐに「８」がセットされた状態では、ステップＳ１１４の判別結果が否定的となるので、ステップＳ１２２に分岐する結果、９行目以降の階調データの読出走査がスキップされる。
【００８５】
このため、表示パネル１４０において１行目から８行目までの画素は、図１０（ｂ）に示されるように、今回のフレーム３におけるフレーム処理によって読み出された階調データにしたがうので、パターンＡの表示となるが、９行目以降の画素は、前回のフレーム処理（すなわち、フレーム２でのフレーム処理）によって読み出された階調データにしたがうので、パターンＡの表示を維持することになる。
【００８６】
図１０（ｂ）で図示しないが、図９（ｂ）におけるフレーム７、１０においても同様である。
【００８７】
よって、本実施形態によれば、読出走査期間の途中に書換が発生しても、比較例のような断裂表示が発生しないので、表示品位の低下を防止すること可能となる。
【００８８】
なお、画面の下半分は、フレーム２および３という２フレームにわたってリフレッシュされないので、下半分（９行目以降）の画素に含まれる容量１４４０では、１フレーム毎にリフレッシュされる上半分（１行目から８行目まで）の画素に含まれる容量１４４０と比較して、蓄積電荷のリークが進行する結果、図１０（ｂ）に示されるように、輝度が多少低下する。
【００８９】
＜第２実施形態＞
上述した第１実施形態は、ＥＬ素子１４５０のような直流駆動を原則とする素子を用いた表示装置に対して、断裂表示を防止する表示方法であった。本発明は、これに限られず、液晶素子のような交流駆動を原則とする素子を用いた表示装置にも適用可能である。
【００９０】
ここで、特定書換の発生により読出走査をスキップさせると、スキップさせた番地に相当する画素はリフレッシュしないので、当該画素には、次のフレームにおいて指示された極性であって、当該フレームでの読出走査によって読み出された階調データに応じた電圧が書き込まれることになる。
【００９１】
しかしながら、交流駆動のために液晶素子に対する書込極性を１フレーム毎に反転させると、スキップさせた番地に相当する画素には、同一極性のデータ信号が連続して書き込まれてしまう。この理由は、一方の極性にて書き込んだ後では、スキップの発生により他方の極性にて書き込まれず、再び、一方の極性にて書き込んでしまうためである。
【００９２】
この結果、交流駆動の原則が崩れてしまうので、液晶素子を用いた表示装置に対しては、単純に、第１実施形態を適用することができない。
【００９３】
そこで、読出走査をスキップさせたとき、スキップさせた番地に相当する画素が同一極性で書き込まれるのを回避した第２実施形態について説明する。
【００９４】
第２実施形態に係る表示方法を適用した表示装置が上述した第１実施形態に係る表示方法を適用した表示装置と相違する点は、次の３点である。すなわち、画素の構成が異なる点（相違点▲１▼）、Ｘドライバ１６０の構成が異なる点（相違点▲２▼）およびディスプレイコントローラ１３０におけるフレーム処理（読出処理）が異なる点（相違点▲３▼）の３点であり、これらの３点について順番に説明する。それ以外については、すでに第１実施形態と重複するので、その説明を省略する。
【００９５】
＜画素＞
図１１は、第２実施形態に係る表示方法が適用される表示装置の画素を示す回路図である。
【００９６】
この図に示されるように、各画素１４００は、ＴＦＴ１４６２と、液晶素子１４７０とをそれぞれ有している。ここで、ｉ行目の走査線１４１０とｊ列目のデータ線１４２０との交差対応してｉ行ｊ列に位置する画素１４００に着目すると、当該画素１４００のＴＦＴ１４６２は、ｊ列目のデータ線１４２０と液晶素子１４７０の一端との間に介挿されている。また、ＴＦＴ１４６２のゲートは、ｉ行目の走査線１４１０に接続されている。このため、ＴＦＴ１４６２は、走査信号ＹｉがＨレベルになるとオンするスイッチとして機能する。
【００９７】
液晶素子１４７０は、一端たる矩形状の画素電極と、他端たる対向電極と、両電極の間に挟持された液晶とより一種の容量を形成し、当該容量に蓄積される電荷量に応じて液晶分子の配向状態が変化する構成となっている。
【００９８】
ここで、対向電極は、各画素１４００にわたって共通であり、その電位も時間的に一定である。このため、本実施形態において、正極性の書込とは、対向電極電位よりも高位側電圧の書込を意味し、負極性の書込とは、対向電極電位よりも低位側電圧の書込を意味する。
【００９９】
なお、ＴＦＴ１４６２のドレインＤ（画素電極）には、液晶素子に蓄積された電荷のリークを低減するため、蓄積容量が別途設けられる場合もある。
【０１００】
図１１に示される構成において、走査信号ＹｉがＨレベルになると、ｉ行目の画素１４００ではＴＦＴ１４６２がそれぞれオンするので、例えばｉ行ｊ列において、液晶素子１４７０の一端たる画素電極の電位は、データ信号Ｘｊの電圧となる。このため、当該液晶素子には、データ信号Ｘｊの電圧に応じた電荷が蓄積される。電荷蓄積後、走査信号ＹｉがＬレベルになって、ＴＦＴ１４６２がオフしても、液晶素子１４７０における電荷の蓄積は維持される。
【０１０１】
ここで、液晶素子１４７０に蓄積される電荷量に応じて液晶分子の配向状態が変化する結果、当該液晶素子１４７０を通過して、偏光子（図示省略）から出射してユーザに視認される光量も、蓄積された電荷量に応じて変化する。
【０１０２】
したがって、画素１４００は、走査信号がＨレベルからＬレベルに遷移しても、当該Ｈレベルのときのデータ信号Ｘｊで規定された状態を維持することになる。
【０１０３】
なお、液晶素子を用いた画素１４００としては、図１１に示される構成のほか、双方向ダイオード特性を有する二端子型非線形素子（例えば、薄膜ダイオードのなど）と液晶素子１４７０とを、走査線１４１０とデータ線１４２０との間に直列に介挿した構成であっても良い。さらに、ＴＦＴのような三端子型非線形素子や、双方向ダイオード特性を有する二端子型非線形素子などの非線形素子を用いないで液晶素子を駆動するパッシブマトリクス型の構成、詳細には、走査線１４１０自身を液晶素子１４７０の一端とするとともに、データ線１４２０自身を液晶素子１４７０の他端として用いたパッシブマトリクス型の構成であっても良い。また、ここでは階調表示をさせる方法としてＤ／Ａ回路を用いた電圧変調方式を例に挙げたが、無論パルス幅変調方式や他の方式であっても構わない。
【０１０４】
＜Ｘドライバ＞
図１２は、第２実施形態に適用されるＸドライバ１６０の構成を示すブロック図である。この図に示される構成が図５に示される構成と相違する点は、各列のＤ／Ａ変換器１６４０がＤ／Ａ変換器１６５０に置換した点と、Ｄ／Ａ変換器１６５０の各々に信号ＡＫがそれぞれ供給されている点とにある。
【０１０５】
ここで、信号ＡＫは、ディスプレイコントローラ１３０によって生成される信号であり、Ｄ／Ａ変換器１６５０に対して出力信号の極性を指示する。
具体的には、信号ＡＫは、Ｌレベルであれば正極性を、信号ＡＫがＨレベルであれば負極性を、それぞれ指示する。
【０１０６】
ｊ列目のＤ／Ａ変換器１６５０は、ラッチパルスＬＰの立ち上がりによってラッチされた階調データを、信号ＡＫによって指示された極性のアナログ信号に変換して、データ信号Ｘｊとしてｊ列目のデータ線１４２０に出力する。
【０１０７】
＜ディスプレイコントローラ＞
次に、第２実施形態に適用されるディスプレイコントローラ１３０によって実行される処理内容の詳細について説明する。図１３は、ディスプレイコントローラ１３０におけるメインルーチンの処理内容を示すフローチャートである。
【０１０８】
この図に示されるように、電源投入やリセットなどの直後において、ディスプレイコントローラ１３０は、初期化処理を実行する（ステップＳ２）。詳細には、ディスプレイコントローラ１３０は、動作モードを規定するための値をセットするためのレジスタＭｏｄを、ゼロにリセットするとともに、各行に対応して設けられるレジスタＬ−１、Ｌ−２、Ｌ−３、…、Ｌ−ｍにそれぞれ「１」をセットする。
【０１０９】
ここで、レジスタＭｏｄにセットされた値が「０」、「１」、「２」、「３」であれば、動作モードは、それぞれノーマル（Ｎ）モード、書換（Ｗ）モード、排他（Ｘ）モード、スキップ（Ｓ）モードであるとする。したがって、ステップＳ２における初期化処理によって、動作モードはノーマル（Ｎ）モードにセットされることになる。
【０１１０】
レジスタＬ−１、Ｌ−２、Ｌ−３、…、Ｌ−ｍは、それぞれ直前フレームにおける１、２、３、…、ｍ行の画素に対する書込極性を示し、本実施形態では「０」が正極性を意味し、「１」が負極性を意味する。最初のフレームでは直前フレームが存在しないので、ステップＳ２における初期化処理によって、存在しない直前フレームでは、各行に対して負極性の書込がなされたと想定する。
【０１１１】
この初期化処理の後、ディスプレイコントローラ１３０は、フレーム処理を実行する（ステップＳ２０）。次に、フレーム処理の後、ディスプレイコントローラ１３０は、当該フレーム処理を開始してから１垂直走査期間（１フレーム）に相当する期間が経過したか否かを判別する（ステップＳ２２）。
【０１１２】
ディスプレイコントローラ１３０は、該判別結果が否定的であるとき、処理手順をステップＳ２２に戻して待機する一方、肯定的であるとき、再びフレーム処理を実行する。すなわち、ステップＳ２０におけるフレーム処理は、第１実施形態と同様に、１フレームおきに実行される。
【０１１３】
ここで、フレーム処理の詳細について説明する。図１４、図１５および図１６は、それぞれ第２実施形態におけるフレーム処理の詳細を示すフローチャートである。
【０１１４】
まず、フレーム処理の開始において、ディスプレイコントローラ１３０は、読出走査の対象とすべき画素行を特定するための変数ｐに「１」をセットする（ステップＳ２０２）。
【０１１５】
次に、ディスプレイコントローラ１３０は、変数Ｍｏｄの値が「０」であるか否か、すなわち、動作モードがノーマル（Ｎ）モードであるか否かを判別する（ステップＳ２０４）。
【０１１６】
この判別結果が肯定的であるとき、ディスプレイコントローラ１３０は、第１実施形態におけるステップＳ１１０と同様に、変数ｐで特定された画素行についての読出走査を実行する（ステップＳ２１０）。この走査によって、ｐ行１列からｐ行ｎ列までの画素１行分の階調データが順番に表示メモリ１２０から読み出されて、Ｘドライバ１６０に供給されることになる。
【０１１７】
ｐ行ｎ列の階調データを読み出した後、ラッチパルスＬＰの出力前に、ディスプレイコントローラ１３０は、信号ＡＫを、極性指示フラグＰｏｌで指示される書込極性のレベルにて出力する（ステップＳ２１１）。
【０１１８】
ここで、極性指示フラグＰｏｌとは、このフレーム処理によって読み出された階調データを、いずれの極性にて画素１４００に書き込むかを指示し、具体的に本実施形態では、奇数フレームでは「０」となって、正極性の書込を指示する一方、偶数フレームでは「１」となって、負極性の書込を指示する。
【０１１９】
Ｘドライバ１６０は、すでに説明したように、読み出された階調データをラッチ回路１６３０により１行分だけ一旦ラッチした後、Ｄ／Ａ変換器１６５０によりデータ信号に変換して、データ線１４２０に供給するので、ｐ行の最終ｎ列の階調データが読み出された後であってラッチパルスＬＰの出力前に、ステップＳ２１１において信号ＡＫを、極性指示フラグＰｏｌで指示される論理レベルにセットすると、Ｄ／Ａ変換器１６５０によるデータ信号は、極性指示フラグＰｏｌで指示される極性となって、実際に、ｐ行の画素１４００に書き込まれることになる。
【０１２０】
次に、今回のフレーム処理においてｐ行の画素１４００に対しては極性指示フラグＰｏｌで指示される極性にて書き込んだ旨を記録すべく、ディスプレイコントローラ１３０は、ｐ行に対応するレジスタＬ−ｐに、現時点における極性指示フラグＰｏｌの値をセットする（ステップＳ２１２）。
【０１２１】
続いて、ディスプレイコントローラ１３０は、ステップＳ２１１における読出走査において特定書換が発生したか否かを判別する（ステップＳ２１４）。ここで、特定書換とは、第１実施形態と同様に、単に表示メモリ１２０に対する階調データの書換を意味する。
【０１２２】
この判別結果が否定的であるとき、ディスプレイコントローラ１３０は、現時点における変数ｐが走査線１４１０の本数ｍに等しいか否かを判別する（ステップＳ２１６）。
【０１２３】
この判別結果が否定的であるとき、ディスプレイコントローラ１３０は、読出走査の対象を次の画素行とすべく、変数ｐを「１」だけインクリメントして（ステップＳ２１８）、処理手順を再びステップＳ２１０に戻す。
【０１２４】
また、ステップＳ２１６の判別結果が肯定的であるとき、ディスプレイコントローラ１３０は、今回のフレーム処理を終了させて、次フレームの開始まで待機する（ステップＳ２２）。
【０１２５】
ステップＳ２１０において特定書換の発生があったと判別したとき、ディスプレイコントローラ１３０は、動作モードを書換（Ｗ）モードに移行すべく、変数Ｍｏｄに「１」をセットする（ステップＳ２２０）。
【０１２６】
次に、ディスプレイコントローラ１３０は、ｐ行目の走査線１４１０に供給される走査信号ＹｐがＨレベルからＬレベルに遷移するタイミング以降、クロック信号ＹＣＫを一時的に高周波数化させる（ステップＳ２２２）。
【０１２７】
そして、ディスプレイコントローラ１３０は、次回のフレーム処理における動作モードを排他（Ｘ）モードとすべく、変数Ｍｏｄに「２」をセットし（ステップＳ２２４）、この後、今回のフレーム処理を終了させて、次フレームの開始まで待機する。
【０１２８】
すなわち、ｐ行目の読出走査の間に、特定書換が発生すると、（ｐ＋１）行目の読出走査を実行することなく、今回のフレーム処理が終了するので、（ｐ＋１）行目から最終ｍ行目までの画素に対応する階調データは、表示メモリ１２０から読み出されない。
【０１２９】
さらに、（ｐ＋１）行目から最終ｍ行目までの走査線１４１０に供給される走査信号は一瞬しかＨレベルにならないので、（ｐ＋１）行目から最終ｍ行目までの各液晶素子１４７０の濃度は、それぞれ直前フレームから維持されたままとなる。したがって、最初の１行目から最終のｍ行目までの画素１４００による表示内容は、表示メモリ１２０の書換が１行目からｍ行目までの読出走査期間に発生しても変化しない。
【０１３０】
このようにノーマル（Ｎ）モードでは、１行目からｍ行目まで順番に読出走査して階調データを読み出すとともに、当該階調データを、極性指示フラグＰｏｌによって指示された極性のアナログ信号に変換して、画素１４００に書き込む動作が実行される。ただし、１行目からｍ行目までの読出走査の期間に特定書換が発生すると、書換（Ｗ）モードに移行し、特定書換の発生した行の次行以降の読出走査をスキップさせるので、スキップされた行の画素１４００による表示に変化は生じない。
【０１３１】
一方、ディスプレイコントローラ１３０は、ステップＳ２０４において変数Ｍｏｄの値が「０」でないと判別すると、さらに、当該変数Ｍｏｄの値が「２」であるか否か、すなわち、動作モードが排他（Ｘ）モードであるか否かを判別する（ステップＳ２０６）。
【０１３２】
ここで、変数Ｍｏｄに「２」がセットされるのは、前回のフレーム処理において当初の動作モードがノーマル（Ｎ）モード、または、詳細については後述するスキップ（Ｓ）モードであって、かつ、特定書換が発生した場合に限られる（ステップＳ２２４）。
【０１３３】
したがって、特定書換が発生したフレームの次フレームでは、図１５に示される排他（Ｘ）モードの読出処理が実行される。
【０１３４】
まず、ディスプレイコントローラ１３０は、ノーマル（Ｎ）モードでのステップＳ２１０と同様に、変数ｐで特定された画素行についての読出走査を実行する（ステップＳ２４０）。この走査によって、ｐ行１列からｐ行ｎ列までの画素１行分の階調データが順番に表示メモリ１２０から読み出されて、Ｘドライバ１６０に供給される点についても、ノーマル（Ｎ）モードのステップＳ２１０と同様である。
【０１３５】
ｐ行ｎ列の階調データを読み出した後、ラッチパルスＬＰの出力前に、ディスプレイコントローラ１３０は、信号ＡＫを、レジスタＬ−ｐにセットされている値の反転値で指示される書込極性のレベルにて出力する（ステップＳ２４１）。
【０１３６】
すなわち、排他（Ｘ）モードにおいて、ｐ行の画素１行分の階調データが読み出されると、当該階調データは、書込極性を指示する極性指示フラグＰｏｌにかかわらず、直前に書き込まれた極性とは反対極性のアナログ信号に変換されて、実際に、ｐ行の画素１４００に書き込まれることになる。
【０１３７】
次に、今回のフレーム処理においてｐ行の画素１４００に対してはレジスタＬ−ｉにセットされた値の反転値で指示される極性にて書き込んだ旨を記録すべく、ディスプレイコントローラ１３０は、レジスタＬ−ｐにセットされた値を、当該反転値に書き直す（ステップＳ２４２）。
【０１３８】
続いて、ディスプレイコントローラ１３０は、現時点における変数ｐが走査線１４１０の本数ｍに等しいか否かを判別する（ステップＳ２５６）。
【０１３９】
この判別結果が否定的であるとき、ディスプレイコントローラ１３０は、読出走査の対象を次の画素行とすべく、変数ｐを「１」だけインクリメントして（ステップＳ２５８）、処理手順を再びステップＳ２４０に戻す。
【０１４０】
また、ステップＳ２５６の判別結果が肯定的であるとき、ディスプレイコントローラ１３０は、次回のフレーム処理において、動作モードをスキップ（Ｓ）モードとすべく、変数Ｍｏｄに「３」をセットし（ステップＳ２６０）、この後、今回のフレーム処理を終了して、次フレームの開始まで待機する（ステップＳ２２）。
【０１４１】
このように排他（Ｘ）モードでは、１行目からｍ行目まで順番に読出走査して階調データを読み出すとともに、当該階調データを、極性指示フラグＰｏｌにかかわらず、直前に書き込まれた極性とは反対極性のアナログ信号に変換して、画素１４００に書き込む動作が実行される。
【０１４２】
ところで、ディスプレイコントローラ１３０が、ステップＳ２０６において変数Ｍｏｄの値が「２」でないと判別するとき、当該変数Ｍｏｄの値は、本実施形態では「３」に限られる。変数Ｍｏｄの値は「１」をとる場合もあり得るが（ステップＳ２２０）、この場合には、書換（Ｗ）モードの終了直前において変数Ｍｏｄに「２」が再セットされるので（ステップＳ２２４）、ステップＳ２０４、Ｓ２０６の判別時においては、変数Ｍｏｄは「０」、「２」または「３」のいずれかしか取り得ないからである。
【０１４３】
また、あるフレーム処理の開始時において、変数Ｍｏｄの値が「３」であるのは、前回のフレーム処理での動作モードが排他（Ｘ）モードである場合に限られる。
【０１４４】
したがって、排他（Ｘ）モードで実行されたフレームの次フレームでは、図１６に示されるスキップ（Ｓ）モードの読出処理が実行される。
【０１４５】
まず、ディスプレイコントローラ１３０は、変数ｐで特定された行に対応するレジスタＬ−ｐの値が極性指示フラグＰｏｌと一致しているか否かを判別する（ステップＳ２７０）。
【０１４６】
上述したように、あるｉ行の画素にデータ信号が実際に書き込まれると、当該ｉ行に対応するレジスタＬ−ｉに当該データ信号の極性を示す値がセットされるので、ステップＳ２７０においては、前回のフレームでの（すなわち、排他（Ｘ）モードでの）書込極性と、今回のフレームにおける本来の書込極性とが互いに一致しているのか否かが判別される。
【０１４７】
当該判別結果が肯定的であるとき、同一階調データの読出、かつ、同一極性の書込を回避すべく、ディスプレイコントローラ１３０は、処理手順を後述するステップＳ２８６に移行させる。
【０１４８】
一方、ステップＳ２７０での判別結果が否定的であるとき、ディスプレイコントローラ１３０は、ステップＳ２１０、Ｓ２４０と同様に、変数ｐで特定された画素行についての読出走査を実行する（ステップＳ２８０）。この走査によって、ｐ行１列からｐ行ｎ列までの画素１行分の階調データが順番に表示メモリ１２０から読み出されて、Ｘドライバ１６０に供給される点についても、ステップＳ２１０、Ｓ２４０と同様である。
【０１４９】
この読み出しの後、ラッチパルスＬＰの出力前に、ディスプレイコントローラ１３０は、ステップＳ２１１と同様に、信号ＡＫを、極性指示フラグＰｏｌで指示される書込極性のレベルにて出力する（ステップＳ２８１）。読み出された階調データは、ラッチパルスＬＰが出力されると、極性指示フラグＰｏｌで指示された本来的な書込極性のアナログ信号に変換されて、ｐ行の画素１４００に書き込まれることになる。
【０１５０】
そして、当該書込を記録すべく、ディスプレイコントローラ１３０は、レジスタＬ−ｐを、当該極性指示フラグＰｏｌで指示される書込極性の値に書き直す（ステップＳ２８２）。
【０１５１】
続いて、ディスプレイコントローラ１３０は、ステップＳ２８０における読出走査において特定書換が発生したか否かを判別する（ステップＳ２８４）。
【０１５２】
この判別結果が肯定的であるとき、ディスプレイコントローラ１３０は、処理手順を上述したステップＳ２２０に移行させて、書換（Ｗ）モードとする。
【０１５３】
一方、この判別結果が否定的であるとき、ディスプレイコントローラ１３０は、現時点における変数ｐが走査線１４１０の本数ｍに等しいか否かを判別する（ステップＳ２８６）。
【０１５４】
この判別結果が否定的であるとき、ディスプレイコントローラ１３０は、読出走査の対象を次の画素行とすべく、変数ｐを「１」だけインクリメントして（ステップＳ２８８）、処理手順を再びステップＳ２７０に戻す。
【０１５５】
ステップＳ２８６の判別結果が肯定的であるとき、ディスプレイコントローラ１３０は、次回のフレーム処理ではノーマル（Ｎ）モードに復帰すべく、変数Ｍｏｄに「０」をセットし（ステップＳ２９０）、この後、今回のフレーム処理を終了させて、次フレームの開始まで待機する（ステップＳ２２）。
【０１５６】
このようにスキップ（Ｓ）モードでは、１行目からｍ行目まで順番に読出走査して階調データを読み出すとともに、当該階調データを、極性指示フラグＰｏｌにしたがった本来的な極性のアナログ信号に変換して、画素１４００に書き込む動作が実行される。ただし、レジスタＬ−ｐにセットされた極性と極性指示フラグＰｏｌで指示される極性とが互いに同一である場合には、ｐ行目の読出走査・書込動作はスキップされる。また、読出走査の途中で特定書換が発生すると、書換（Ｗ）モードに移行し、次行以降の読出走査をスキップさせるので、スキップされた行の画素１４００による表示に変化が生じない点は、ノーマル（Ｎ）モードと同様である。
【０１５７】
＜具体的動作＞
次に、第２実施形態の表示方法における具体的な動作について説明する。図１７は、当該表示方法によって、表示メモリ１２０から階調データがどのように読み出されるかを、フレーム毎に示す図表である。
【０１５８】
この図において、アルファベットは表示すべきパターンを示し、このアルファベットに続く「＋」または「−」は、画素に対して実際に書き込まれる極性を示す。
【０１５９】
画素に対して本来的に書き込むべき極性は、上述したように極性指示フラグＰｏｌで示され、本実施形態では、奇数フレームであれば正極性であり、偶数フレームであれば負極性である。
【０１６０】
このため、フレーム１において読み出されるパターンＡの階調データは、正極性のアナログたるデータ信号に変換されて画素に書き込まれ、続く、フレーム２において読み出されるパターンＡの階調データは、負極性のデータ信号に変換されて画素に書き込まれる。
【０１６１】
フレーム３では、１行目から８行目までのパターンＡに係る階調データが、読み出されて、負極性のデータ信号に変換されて画素に書き込まれるが、８行目の読出走査の途中でパターンＢとする特定書換が発生したので（変数ｐの値が「８」であるときに、ステップＳ２１４の判別結果が肯定的となるので）、９行目以降の読出走査はスキップされる（ステップＳ２２２）。このため、９行目以降の画素は、フレーム２において正極性にて書き込まれたパターンＡを維持するので、断裂表示が防止される。
【０１６２】
フレーム３において特定書換が発生したので、フレーム４は排他（Ｘ）モードとなる。このため、フレーム４において読み出された１行目から８行目までのパターンＢに係る階調データは、本来的な書込極性ではなく、フレーム３における書込極性とは反対極性である負極性のデータ信号に変換されて画素に書き込まれる。ただし、フレーム４は偶数フレームであるので、本来的な書込極性も負極性である。このため、フレーム４において１行目から８行目までに限っていえば、本来的な書込極性にしたがって書き込まれるか否かを論ずる必要性は乏しい。
【０１６３】
フレーム３では、読出走査のスキップによって９行目以降の画素にデータ信号が書き込まれなかったので、レジスタＬ−９以降の値は、フレーム２においてセットされた負極性の書込を示す値である。したがって、フレーム４において読み出された９行目以降のパターンＢに係る階調データは、本来的な書込極性ではなく、フレーム２における書込極性とは反対極性である正極性のデータ信号に変換されて画素に書き込まれる。
【０１６４】
フレーム４は排他（Ｘ）モードであったので、フレーム５はスキップ（Ｓ）モードとなる。このため、フレーム５において読み出された１行目から８行目までのパターンＢに係る階調データは、フレーム４における書込極性とは反対極性である正極性、すなわち、本来的な書込極性のデータ信号に変換されて画素に書き込まれる。
【０１６５】
フレーム４では、９行目以降のパターンＢに係る階調データが正極性のデータ信号に変換されて画素に書き込まれた関係上、フレーム５において、レジスタＬ−９以降の値は正極性書込を示す値となっている。したがって、レジスタＬ−９以降の値は、フレーム５での本来的な書込極性と一致するので（変数ｐの値が「９」以上であるとき、ステップＳ２７０の判別結果が肯定的となるので）、９行目以降の読出はスキップされる。
【０１６６】
フレーム５がスキップ（Ｓ）モードであって、特定書換が発生しなかったので、フレーム６はノーマル（Ｎ）モードに復帰する。このため、フレーム６において読み出されるパターンＢの階調データは、本来の書込極性である負極性のデータ信号に変換されて画素に書き込まれる。
【０１６７】
フレーム５は、スキップ（Ｓ）モードであって、特定書換が発生しなかったフレームの例示であるが、スキップ（Ｓ）モードであって、特定書換が発生するフレームも当然に存在し得る。
【０１６８】
このようなフレームが、図１７におけるフレーム１２、１７、１９である。
【０１６９】
このうち、フレーム１９は、特に次の４つの様子を示している。すなわち、フレーム１９において、変数ｐの値が「１」から「６」までであるとき、ステップＳ２７０の判別結果が否定的となるため、１行目から６行目までのパターンＧに係る階調データは、フレーム１８での書込極性とは反対極性、すなわち、本来的な正極性のデータ信号に変換されて画素に書き込まれる第１の様子と、変数ｐの値が「７」および「８」であるとき、ステップＳ２７０の判別結果が肯定的となるため、７行目および８行目の読出走査がスキップされる第２の様子と、変数ｐの値が「９」から「１２」までであるとき、ステップＳ２７０の判別結果が再び否定的となるため、９行目から１２行目までのパターンＧに係る階調データは、フレーム１８での書込極性とは反対極性である正極性のデータ信号に変換されて画素に書き込まれる第３の様子と、変数ｐの値が「１２」であるときに、ステップＳ２８４の判別結果が肯定的となったため、１３行目以降の読出走査がスキップされた（ステップＳ２２２）第４の様子とを、それぞれ示している。
【０１７０】
なお、スキップ（Ｓ）モードであって特定書換が発生すると、書換（Ｗ）モードの移行に伴って、次のフレームでは排他（Ｘ）モードとなり、さらに、スキップ（Ｓ）モードとなって、当該スキップ（Ｓ）モードにおいて、特定書換が発生しなければ、再び、ノーマル（Ｎ）モードに復帰することになる。
【０１７１】
このように第２実施形態では、第１実施形態と同様に、読出走査の途中に書換が発生しても、断裂表示が発生しないので、表示品位の低下を防止すること可能となる。さらに、第２実施形態によれば、読出走査のスキップされた番地に対応する画素であっても、データ信号の極性が反転して書き込まれるので、同一極性の連続した書込が回避される。このため、第２実施形態によれば、表示品位の低下防止とともに、液晶素子への直流成分印加による液晶特性の劣化を防止することも可能となる。
【０１７２】
なお、第２実施形態では、単に、本来的な書込極性を１フレーム毎に反転させただけで、各行同士では同一極性であった。このような反転だけではなく、図１８に示されるように、１行毎に書込極性を反転させるようにしても良い。このような１行毎に書込極性を反転させるには、書込極性フラグＰｏｌが、例えば奇数フレームであって奇数行であれば正極性、偶数行であれば負極性を指示し、反対に、偶数フレームであって奇数行であれば負極性、偶数行であれば正極性を指示するように、内部処理すれば良い。さらには、隣接する列同士が互いに反転極性になるようにしても構わない。
【０１７３】
＜応用例＞
本発明は、上述した第１および第２実施形態に限られず、種々の応用・変形が可能である。
【０１７４】
上述した第１および第２実施形態では、単に表示メモリ１２０において階調データが書き換えられれば、特定書換が発生したと判別した。この理由は、表示メモリ１２０における階調データの書換は上位制御回路１１０から命令ＷＣＭを受信すると発生するので、命令ＷＣＭの受信したか否かによって、表示メモリ１２０における階調データの書換を間接的に把握することができる等の理由によるからである。
【０１７５】
しかしながら、表示メモリ１２０における階調データが書き換えられると、上述したような断裂表示が１００％発生する訳ではない。すなわち、読出走査の範囲と書換領域との関係次第によっては、断裂表示が発生しない場合もあり得る。
【０１７６】
例えば、図１９に示されるように、あるフレームにおいて、表示メモリ１２０に対する読出番地Ｒａｄが、ｉ行ｊ列の画素の階調データが記憶された番地（ａ１）に相当している場合に、階調データの書換が発生したとき、範囲Ｒ１のように、当該書換範囲に含まれる番地のすべてが当該フレームにおいて既に読出走査されていれば、当該書換範囲を読出走査するのは、次のフレームであるので、断裂表示は発生しない。
【０１７７】
また、あるフレームにおいて、階調データの書換が発生したときの読出番地Ｒａｄが番地（ａ１）に相当している場合に、当該書換が完了するときの読出番地が（ｉ＋１）行（ｊ＋４）列の画素の階調データが記憶された番地（ａ２）に位置するであろうと推定されるとき、範囲Ｒ２のように、当該書換範囲に含まれる番地のすべてが推定番地（ａ２）よりも先行していれば、当該書換範囲は当該フレームにおいて読出走査されるので、断裂表示は発生しない。
【０１７８】
ただし、範囲Ｒ３のように、あるフレームにおいて、書換範囲に含まれる番地がすべて読出走査されていない場合、または、書換範囲に含まれる番地がすべて推定番地よりも先行していない場合には、書換範囲は、当該フレームにおいて読出走査される番地と読出走査されない番地とに分けられる結果、断裂表示が発生する。
【０１７９】
したがって、例えば、ディスプレイコントローラ１３０は、命令ＷＣＭを受信したときに、当該命令ＷＣＭから書換範囲を求め、さらに、当該書換範囲に含まれる番地数からデータの書換に要する時間を予測するとともに、命令ＷＣＭを受信したときの読出番地が予測した時間だけ経過したときにどれだけ歩進するのかを推定し、さらに、これらの読出番地、書換範囲、推定番地から、上記いずれの場合にも該当しないと判断したときに、はじめて、断裂表示によって表示品位が低下する可能性のある特定書換が発生した、と判別することが望ましい。
【０１８０】
また、第１および第２実施形態では、全行が常に書き換えられる可能性があると想定し、このため、あるフレームにおいて、ある行の読出走査期間に特定書換が発生すると、当該フレームにおいては次行以降の読出走査をスキップさせた。ここで、条件・設定等によっては、階調データは予め定められた行に対してだけ書き換えられることもある。
【０１８１】
このように階調データが予め定められた行だけ書き換えられる場合に、階調データの書換が発生したとき、定められた行の範囲に限って読出走査をスキップしても良い。
【０１８２】
例えば、図２０は、４行から１５行までが（読出走査の途中に）書き換えられる可能性がある場合に、階調データの書換が発生したとき、４行から１５行までの範囲に限って読出走査をスキップさせた例である。
【０１８３】
第１および第２実施形態では、読出走査のスキップさせるときに、表示メモリ１２０に対する読出番地の歩進を停止させたが、停止させなくても良い。停止させないと、階調データが実際に読み出されることになるが、スキップさせた行は、Ｙドライバ１５０によって実質的に選択されない結果、画素１４００に対する書込が無効となるからである。
【０１８４】
また、読出走査のスキップさせるときに、クロック信号ＹＣＫを一時的に高周波数化して、スキップさせる行の選択期間（走査信号をＨレベルとする期間）を短くしたので、スキップには、ある程度の時間を要することなる。
【０１８５】
ここで、Ｙドライバ１５０の各転送回路１５１５に、リセット機構を設ければ、スキップさせる行の選択期間がゼロとなるので、理想的である。
【０１８６】
あるいは、図３において、本来、転送回路１５１５の出力がＨレベルになって走査線１４１０が選択されるべき期間において、スキップさせる場合には、強制的に転送回路１５１５の出力をＬレベルにして、走査線１４１０を選択しない構成としても良い。このような構成としては、例えば、転送回路１５１５の出力とこれに対応する走査線１４１０との間に２入力の論理積回路を設ければ良い。詳細には、当該２入力の論理積回路において一方の入力に転送回路１４１０の出力信号を供給し、他方の入力にスキップ制御信号を供給するとともに、論理積回路の出力信号を走査線１４１０に供給する構成とすれば良い。この構成によれば、ある行の走査線１４１０に対応する転送回路１５１５が、当該行を選択すべき旨を示すＨレベルの信号を出力しても、当該行をスキップさせたいときに、スキップ制御信号をＬレベルにすることによって、２入力論理積回路の出力は強制的にＬレベルとなるので、当該行の走査線１４１０は選択されないことになる。したがって、クロック信号ＹＣＫを高周波数化する必要がない。
【０１８７】
ただし、リセット機構や２入力の論理積回路などを設けると、それだけ構成が複雑化するので、実際には、Ｙドライバの構成にリセット機構や２入力の論理積回路を設けるか否か、さらに、設けない場合には、スキップさせるためのクロック信号ＹＣＫの周波数を、スキップさせないとき周波数と比較してどの程度までに高めるかについては、種々の条件を考慮して決定すべき事項である。
また、これまでＥＬ装置や液晶装置を例にとって説明したが、本発明の適用範囲はこれらに限られるものではなく、例えば、デジタルマイクロミラーデバイス（ＤＭＤ）、或いは、プラズマ発光や電子放出による蛍光等を用いた様々な電気光学素子を用いた電気光学装置および該電気光学装置を備えた電子機器に対しても適用可能であるということは言うまでもない。
【０１８８】
【発明の効果】
以上説明したように本発明によれば、読出番地による走査とは無関係に、階調データを表示メモリに書き込むことができるので、当該書込を行う上位制御回路の負荷が軽減される上に、表示品位が低下する可能性のある特定書換が発生した番地からの読出がスキップされるとともに、当該番地に対応する画素は、前に読み出された階調データで規定される階調に保持されるので、断裂表示画面が防止される結果、動画像の表示品位も低下しない。したがって、上位制御回路による負荷を増加させないで、表示品位の低下を防止することが可能となる。
【図面の簡単な説明】
【図１】  本発明の第１実施形態に係る画像表示方法を適用した表示装置の構成を示すブロック図である。
【図２】  同表示装置の画素の構成を示す回路図である。
【図３】  同表示装置のＹドライバの構成を示すブロック図である。
【図４】  （ａ）および（ｂ）は、それぞれ同Ｙドライバの動作を説明するためのタイミングチャートである。
【図５】  同表示装置のＸドライバの構成を示すブロック図である。
【図６】  同Ｘドライバの動作を説明するためのタイミングチャートである。
【図７】  同表示装置におけるディスプレイコントローラの主動作を説明するためのフローチャートである。
【図８】  同主動作におけるフレーム処理を説明するためのフローチャートである。
【図９】  （ａ）は、従来における画像表示の具体的動作を説明するための図表であり、（ｂ）は、同実施形態における画像表示の具体的動作を説明するための図表である。
【図１０】  （ａ）は、従来における表示方法を説明するための図であり、（ｂ）は、同実施形態における表示方法を説明するための図である。
【図１１】  本発明の第２実施形態に係る画像表示方法を適用した表示装置の画素の構成を示す回路図である。
【図１２】  同表示装置のＸドライバの構成を示すブロック図である。
【図１３】  同表示装置におけるディスプレイコントローラの主動作を説明するためのフローチャートである。
【図１４】  同主動作におけるフレーム処理を説明するためのフローチャートである。
【図１５】  同主動作におけるフレーム処理を説明するためのフローチャートである。
【図１６】  同主動作におけるフレーム処理を説明するためのフローチャートである。
【図１７】  同表示装置における画像表示の具体的動作を説明するための図表である。
【図１８】  同表示装置の応用例における画像表示の具体的動作を説明するための図表である。
【図１９】  第１または第２実施形態における特定書換の判別の別例を説明するための図である。
【図２０】  第１または第２実施形態に係る画像表示方法の応用例を説明するための図表である。
【符号の説明】
１００…表示装置
１１０…上位制御回路
１２０…表示メモリ
１３０…ディスプレイコントローラ
１４０…表示パネル
１５０…Ｙドライバ
１６０…Ｘドライバ
【図１】
0003912207.tif 000002
【図２】
0003912207.tif 000003
【図３】
0003912207.tif 000004
【図４】
0003912207.tif 000005
【図５】
0003912207.tif 000006
【図６】
0003912207.tif 000007
【図７】
0003912207.tif 000008
【図８】
0003912207.tif 000009
【図９】
0003912207.tif 000010
【図１０】
0003912207.tif 000011
【図１１】
0003912207.tif 000012
【図１２】
0003912207.tif 000013
【図１３】
0003912207.tif 000014
【図１４】
0003912207.tif 000015
【図１５】
0003912207.tif 000016
【図１６】
0003912207.tif 000017
【図１７】
0003912207.tif 000018
【図１８】
0003912207.tif 000019
【図１９】
0003912207.tif 000020
【図２０】
0003912207.tif 000021